(57)【要約】【課題】グリップ部及び打撃部間の結合強度を向上させることを可能とする。【解決手段】被結合端部１１は、結合開口部１３側の第１の支持穴部１７とこの第１の支持穴部１７の奥側に形成され第１の支持穴部１７よりも大径の第２の支持穴部１９とこの第１，第２の支持穴部１７，１９間に形成されその軸芯に直交した突当受面２１とを有し、コネクタ７は、グリップ部３の結合端部９に嵌合固定される内径部２５と第１の支持穴部１７に嵌合する外径の第１の嵌合軸部２７と第２の支持穴部１９に嵌合する外径の第２の嵌合軸部２９と第１，第２の嵌合軸部２７，２９間に形成されその軸芯に直交した突当面３１と結合開口部１３の外端に締結係合して突当面３１を突当受面２１に突き当て締結する外雄ねじ部３３ａ及びロックねじ３３ｂとを有したことを特徴とする。【選択図】図３
2011139856.tif 000002
【特許請求の範囲】
【請求項１】
結合端部を有するグリップ部と被結合端部に結合開口部を有する打撃部とを備え、
前記グリップ部の結合端部に結合用のコネクタを嵌合固定し、
前記グリップ部の結合端部を前記打撃部の被結合端部に前記コネクタを介して嵌合結合する打撃具であって、
前記被結合端部は、前記結合開口部側の第１の支持穴部とこの第１の支持穴部の奥側に形成され第１の支持穴部よりも大径の第２の支持穴部とこの第１，第２の支持穴部間に形成された突当受面とを有し、
前記コネクタは、前記グリップ部の結合端部に嵌合固定される内径部又は外径部と前記第１の支持穴部に嵌合する外径の第１の嵌合軸部と前記第２の支持穴部に嵌合する外径の第２の嵌合軸部と前記第１，第２の嵌合軸部間に形成された突当面と前記結合開口部の外端に締結係合して前記突当面を前記突当受面に突き当て締結する外締結部とを有し、
たことを特徴とする打撃具。
【請求項２】
請求項１記載の打撃具であって、
前記突当受面は、前記第１，第２の支持穴部の軸芯に直交し、
前記突当面は、前記第１，第２の嵌合軸部の軸芯に直交している、
ことを特徴とする打撃具。
【請求項３】
請求項１又は２記載の打撃具であって、
前記グリップ部の結合端部は、末広がりを呈する外径のテーパ軸状であり、
前記コネクタは、前記内径部が前記グリップ部の結合端部に嵌合する内径のテーパ穴状であり前記グリップ部の先端に締結係合して前記内径部を前記グリップ部の結合端部に嵌合締結固定する内締結部を有する、
ことを特徴とする打撃具。
【請求項４】
請求項１〜３の何れかに記載の打撃具であって、
前記外締結部は、被結合端部とグリップ部との間の段差を抑制しながら外面形状を滑らかに連続させるテーパ筒部を備えた、
ことを特徴とする打撃具。
【請求項５】
請求項１又は２記載の打撃具であって、
前記グリップ部の結合端部を、前記外締結部の外周に嵌合固定した、
ことを特徴とする打撃具。
【請求項６】
請求項１〜５のいずれかに記載の打撃具であって、
前記外締結部は、前記コネクタに形成された外雄ねじ部とこの外雄ねじ部に螺合するロックねじとを有し、
前記外締結部は、前記結合開口部に対して前記ロックねじを締結することで前記突当面を前記突当受面に突き当て締結する、
ことを特徴とする打撃具。
【請求項７】
請求項１〜６のいずれかに記載の打撃具であって、
前記内締結部は、へら絞り加工によるへら曲げ部である、
ことを特徴とする打撃具。
【請求項８】
請求項１〜７のいずれかに記載の打撃具であって、
前記打撃部の被結合端部と前記コネクタとの一方に凸部を設け、この凸部に係合して相互間の回り止めを行う凹部を他方に設けた、
ことを特徴とする打撃具。
【請求項９】
請求項１〜８のいずれかに記載の打撃具であって、
前記第１の支持穴部に雌ねじ部を設け、この雌ねじ部に螺合する内雄ねじ部を前記第１の嵌合軸部に設けた、
ことを特徴とする打撃具。
【請求項１０】
請求項１〜９のいずれかに記載の打撃具あって、
前記打撃部は、ボールを打撃する胴部である、
ことを特徴とする球技用バット。
【発明の詳細な説明】
【技術分野】
【０００１】
本発明は、打撃具及び球技用バットに関する。
【背景技術】
【０００２】
一般に野球等の球技用バットは、競技者が手で握るグリップ部と球を打撃する打撃部とを備えている。
【０００３】
かかる球技用バットにおいて、グリップ部と打撃部とをそれぞれ別の材料で形成し、このグリップ部と打撃部とを結合したものが特許文献１，２に記載されている。
【０００４】
このような球技用バットは、例えば繰り返しのヒッティングに耐える十分な耐久性を有し、かつ全重量をより軽くすることでバット速度を増すことを可能にするなど、種種の特性を設定することが可能となる。
【０００５】
しかし、かかる従来の球技用バットは、グリップ部のテーパ外径部を打撃部のテーパ内径部に嵌合させ、テーパ内外径部間の締結及び接着によりグリップ部及び打撃部の結合を行わせていた。
【０００６】
このため、グリップ部及び打撃部間の結合強度に難点があった。例えば、グリップ部及び打撃部間の曲げ力に対して継ぎ目端部に応力が集中し、テーパ内外径部間の締結及び接着が外れ、結合部で曲がり、がたつきを招き易いという問題があった。また、長手方向の圧縮側へ衝撃を受けるとテーパ内外径部間の締結及び接着が外れてグリップ部が打撃部側へ引っ込んでしまうという問題があった。
【先行技術文献】
【特許文献】
【０００７】
【特許文献１】特開２００５−３１２９１１号公報
【特許文献２】特許第３５２９９６６号公報
【発明の概要】
【発明が解決しようとする課題】
【０００８】
解決しようとする問題点は、グリップ部及び打撃部間の結合強度に難点があった点である。
【課題を解決するための手段】
【０００９】
本発明は、グリップ部及び打撃部間の結合強度を向上させるために、結合端部を有するグリップ部と被結合端部に結合開口部を有する打撃部とを備え、前記グリップ部の結合端部に結合用のコネクタを嵌合固定し、前記グリップ部の結合端部を前記打撃部の被結合端部に前記コネクタを介して嵌合結合する打撃具であって、  前記被結合端部は、前記結合開口部側の第１の支持穴部とこの第１の支持穴部の奥側に形成され第１の支持穴部よりも大径の第２の支持穴部とこの第１，第２の支持穴部間に形成された突当受面とを有し、前記コネクタは、前記グリップ部の結合端部に嵌合固定される内径部又は外径部と前記第１の支持穴部に嵌合する外径の第１の嵌合軸部と前記第２の支持穴部に嵌合する外径の第２の嵌合軸部と前記第１，第２の嵌合軸部間に形成された突当面と前記結合開口部の外端に締結係合して前記突当面を前記突当受面に突き当て締結する外締結部とを有したことを主要な特徴とする。
【発明の効果】
【００１０】
本発明の打撃具は、結合端部を有するグリップ部と被結合端部に結合開口部を有する打撃部とを備え、前記グリップ部の結合端部に結合用のコネクタを嵌合固定し、前記グリップ部の結合端部を前記打撃部の被結合端部に前記コネクタを介して嵌合結合する打撃具であって、  前記被結合端部は、前記結合開口部側の第１の支持穴部とこの第１の支持穴部の奥側に形成され第１の支持穴部よりも大径の第２の支持穴部とこの第１，第２の支持穴部間に形成された突当受面とを有し、前記コネクタは、前記グリップ部の結合端部に嵌合固定される内径部又は外径部と前記第１の支持穴部に嵌合する外径の第１の嵌合軸部と前記第２の支持穴部に嵌合する外径の第２の嵌合軸部と前記第１，第２の嵌合軸部間に形成された突当面と前記結合開口部の外端に締結係合して前記突当面を前記突当受面に突き当て締結する外締結部とを有した。
【００１１】
このため、グリップ部及び打撃部間の曲げ力に対しては、打撃部側の第１，第２の支持穴部に対するグリップ部に固定されたコネクタ側の第１，第２の嵌合軸部の嵌合、打撃部側の突当受面に対するコネクタ側の突当受面の突き当たり、及び打撃部側の結合開口部の外端に対するコネクタ側の外締結部の締結により、曲げ荷重を確実に受けることができる。
【００１２】
したがって、グリップ部及び打撃部間の曲げ力に対する結合強度を向上させることができる。
【００１３】
また、長手方向の圧縮側への衝撃に対しては、打撃部側の結合開口部の外端に対するコネクタ側の外締結部の締結によりうけることができる。
【００１４】
したがって、グリップ部及び打撃部間の圧縮側への衝撃に対する結合強度を向上させることができる。
【図面の簡単な説明】
【００１５】
【図１】ヘッド及びグリップ・エンドを省略した球技用バットの全体図である。（実施例１）
【図２】ヘッド及びグリップ部の一部を省略した球技用バットを若干拡大して示す断面図である。（実施例１）
【図３】球技用バットの要部の拡大断面図である。（実施例１）
【図４】球技用バットの要部の拡大断面図である。（実施例２）
【図５】（ａ）は、コネクタの側面図、（ｂ）は、コネクタを軸周りに９０度回転させた側面図である。（実施例２）
【図６】球技用バットの要部の拡大断面図である。（実施例３）
【図７】コネクタの分解断面図である。（実施例４）
【図８】コネクタの分解断面図である。（実施例５）
【図９】コネクタの分解断面図である。（実施例６）
【図１０】ヘッド及びグリップ部の一部を省略した球技用バットを若干拡大して示す断面図である。（実施例７）
【図１１】ヘッド及びグリップ部の一部を省略した球技用バットを若干拡大して示す分解断面図である。（実施例７）
【図１２】球技用バットの要部の拡大断面図である。（実施例７）
【発明を実施するための最良の形態】
【００１６】
グリップ部及び打撃部間の結合強度を向上させるという目的を、コネクタにより実現した。
【実施例１】
【００１７】
図１は、本発明実施例１に係り、ヘッド及びグリップ・エンドを省略した球技用バットの全体図、図２は、ヘッド及びグリップ部の一部を省略した球技用バットを若干拡大して示す断面図、図３は、球技用バットの要部の拡大断面図である。
【００１８】
図１〜図３のように、打撃具としての球技用バット１は、グリップ部３と打撃部５とを備え、グリップ部３及び打撃部５を別体のコネクタ７で結合している。グリップ部３及び打撃部５共に中空のパイプ状に形成されている。グリップ部３及び打撃部５の材質の設定は自由であり、同一材質に設定することもでき、異材質に設定することもできる。例えば、グリップ部３及び打撃部５の全体を、アルミ合金、ステンレス、ジュラルミン、ＦＲＰ、スカンジウム合金、チタン合金などにより形成し、或いは、グリップ部３をＦＲＰ製とし、打撃部５をアルミ合金等とする設定が可能である。
【００１９】
グリップ部３は、結合端部９を有し、打撃部５は、被結合端部１１を有し、この被結合端部１１に結合開口部１３を有している。
【００２０】
前記グリップ部３の結合端部９に結合用の前記コネクタ７を嵌合固定し、グリップ部３の結合端部９を打撃部５の被結合端部１１に前記コネクタ７を介して嵌合結合している。
【００２１】
前記グリップ部３は、グリップ・エンド側３ａが、例えば一定の内外径で形成され、このグリップ・エンド側３ａの端部から結合端部９へ至ってテーパ状に形成されている。したがって、グリップ部３の結合端部９は、末広がりを呈する外径のテーパ軸状となっている。
【００２２】
前記打撃部５は、先端側が一定した内外形のパイプ状の胴部５ａとして形成され、グリップ部３側にテーパ部５ｂを介して被結合端部１１が備えられている。胴部５ａの先端には、キャップ取り付け用の穴５ｃが形成されヘッドを構成している。
【００２３】
この被結合端部１１は、第１の支持穴部１７と第２の支持穴部１９と突当受面２１とを有している。
【００２４】
第１の支持穴部１７は、結合開口部１３から一定の内径で形成され、打撃部５と同芯となっている。
【００２５】
第２の支持穴部１９は、第１の支持穴部１７よりも奥側に形成され、第１の支持穴部１７よりも大径で一定の内径を有し、打撃部５と同芯に形成されている。この第２の支持穴部１９とテーパ部５ｂとの間には、ガイド・テーパ穴部２３が形成されている。
【００２６】
突当受面２１は、第１，第２の支持穴部１７，１９間に形成され第１，第２の支持穴部１７，１９の軸芯（打撃部５の軸芯）に直交した面として形成されている。
【００２７】
同様に、前記結合開口部１３の外端１３ａも第１，第２の支持穴部１７，１９の軸芯（打撃部５の軸芯）に直交した面として形成されている。
【００２８】
前記コネクタ７は、内径部２５と第１，第２の嵌合軸部２７，２９と突当面３１と外締結部３３とを有している。
【００２９】
内径部２５は、テーパ穴状に形成され、グリップ部３の結合端部９を嵌合させる内径を有している。コネクタ７の内端部には、内締結部としてへら曲げ部７ｃが形成されている。へら曲げ部７ｃは、へら絞り加工により形成され、グリップ部３の先端を軸芯方向に押圧して締結係合し、内径部２５を結合端部９に締結結合する。この締結結合によりグリップ部３の軸芯とコネクタ７の軸芯とのテーパによる芯合わせが行われる。
【００３０】
第１の嵌合軸部２７は、前記第１の支持穴部１７に挿入により嵌合され、がたつきなく支持される外径を有している。この第１の嵌合軸部２７は、内径部２５と同芯に形成されている。
【００３１】
第２の嵌合軸部２９は、前記第２の支持穴部１９に挿入により嵌合され、がたつきなく支持される外径を有している。この第２の嵌合軸部２９は、内径部２５と同芯に形成されている。
【００３２】
突当面３１は、前記第１，第２の嵌合軸部２７，２９間に形成されその軸芯（コネクタ７の軸芯）に直交した面として形成され、突当受面２１に突き当てられている。
【００３３】
外締結部３３は、外雄ねじ部３３ａとロックねじ３３ｂとからなっている。外雄ねじ部３３ａは、コネクタ７の外端部外周に形成され、この外雄ねじ部３３ａは、第１の嵌合軸部２７に至っている。
【００３４】
ロックねじ３３ｂは、端部の締結面３３ｂａがロックねじ３３ｂの軸芯に直交して形成されている。このロックねじ３３ｂは、打撃部５の被結合端部１１と同外径で断面円形の外周面を有し、外雄ねじ部３３ａに螺合して締結面３３ｂａが結合開口部１３の外端１３ａに締結係合している。この締結係合により突当面３１を前記突当受面２１に突き当て締結する。
【００３５】
なお、外締結部３３は、かしめなどを用いることもできる。
【００３６】
前記グリップ部３及び打撃部５の結合は次のように行う。
【００３７】
ロックねじ３３ｂを外してあるコネクタ７をグリップ部３の結合端部９に嵌合させ、へら絞り加工によりへら曲げ部７ｃを形成する。このへら曲げ部７ｃによりグリップ部３の先端を軸芯方向に押圧し、内径部２５を結合端部９に締結結合する。
【００３８】
打撃部５先端の穴５ｃからグリップ部３をグリップ・エンド側３ａより挿入し、コネクタ７外周を被結合端部１１内周に嵌合させる。この嵌合により、第１，第２の嵌合軸部２７，２９を、前記第１，第２の支持穴部１７，１９に挿入により嵌合させ、突当面３１が、突当受面２１に突き当てられる。
【００３９】
前記第２の支持穴部１９に対する第２の嵌合軸部２９の挿入嵌合に際し、ガイド・テーパ穴部２３が挿入をガイドし、嵌合を容易に行わせることができる。
【００４０】
打撃部５の結合開口部１３外へ突出したコネクタ７の外雄ねじ部３３ａにロックねじ３３ｂを螺合させ、このロックねじ３３ｂを結合開口部１３の外端１３ａに締結係合する。この締結係合により突当面３１が前記突当受面２１に突き当て締結される。
【００４１】
次いで、打撃部５先端の穴５ｃに図示しないキャップを取り付け、グリップ部３に図示しないグリップ・エンドを取り付ける。
［実施例１の効果］
本発明実施例１は、結合端部９を有するグリップ部３と被結合端部１１に結合開口部１３を有する打撃部５とを備え、前記グリップ部３の結合端部９に結合用のコネクタ７を嵌合固定し、前記グリップ部３の結合端部９を前記打撃部５の被結合端部１１に前記コネクタ７を介して嵌合結合する球技用バット１であって、前記被結合端部１１は、前記結合開口部１３側の第１の支持穴部１７とこの第１の支持穴部１７の奥側に形成され第１の支持穴部１７よりも大径の第２の支持穴部１９とこの第１，第２の支持穴部１７，１９間に形成されその軸芯に直交した突当受面２１とを有し、前記コネクタ７は、前記グリップ部３の結合端部９に嵌合固定される内径部２５と前記第１の支持穴部１７に嵌合する外径の第１の嵌合軸部２７と前記第２の支持穴部１９に嵌合する外径の第２の嵌合軸部２９と前記第１，第２の嵌合軸部２７，２９間に形成されその軸芯に直交した突当面３１と前記結合開口部１３の外端に締結係合して前記突当面３１を前記突当受面２１に突き当て締結する外雄ねじ部３３ａ及びロックねじ３３ｂとを有した。
【００４２】
このため、グリップ部３及び打撃部５間の曲げ力を第１，第２の支持穴部１７，１９に対する第１，第２の嵌合軸部２７，２９の支持により受けることができ、且つ突当受面２１に対する突当面３１の突き当たりによる荷重伝達で受けることができる。
【００４３】
なお、突当受面２１及び突当面３１間の荷重伝達は、曲げにより突当受面２１及び突当面３１間が相対的に倒れ、周方向一側が相互に突き当たることで行われる。
【００４４】
また、球技用バット１の長手方向の圧縮側へ衝撃が作用するとき、ロックねじ３３ｂの締結面３３ｂａが結合開口部１３の外端１３ａへ突き当たることにより衝撃力を受けることができる。
【００４５】
したがって、球技用バット１への曲げ力、長手方向の圧縮側への衝撃に対し、グリップ部３及び打撃部５間の結合強度向上を図ることができる。
【００４６】
また、突当受面２１及び突当面３１、締結面３３ｂａ及び結合開口部１３の外端１３ａがグリップ部３及び打撃部５の軸芯に直交するため、グリップ部３及び打撃部５の軸芯が交差することが無く、グリップ部３及び打撃部５の芯出しが容易である。
【００４７】
ヘッドが実施例のようにキャップ式の場合、打撃部５グリップ部３十の何れかを交換することも可能である。例えば、どちらか傷が付いたとき、或いは曲がったとき、さらには打撃感覚改善のために材質を変更するとき、重さを変えるときなど、何れにも対応させることができる。
【００４８】
前記グリップ部３の結合端部９は、末広がりを呈する外径のテーパ軸状であり、  前記コネクタ７は、前記内径部２５が前記グリップ部３の結合端部９に嵌合する内径のテーパ穴状であり前記グリップ部３の先端に締結係合して前記内径部２５を前記グリップ部３の結合端部９に嵌合締結固定するへら曲げ部７ｃを有する。
【００４９】
このため、グリップ部３及びコネクタ７間に働く曲げ力、長手方向の圧縮側への衝撃をテーパ状の結合端部９及び内径部２５間、グリップ部３及びへら曲げ部７ｃ間で受けることができる。
【００５０】
したがって、球技用バット１への曲げ力、長手方向の圧縮側への衝撃に対し、グリップ部３及びコネクタ７間の結合強度向上を図ることができる。
【００５１】
前記外締結部３３は、前記コネクタ７に形成された外雄ねじ部３３ａとこの外雄ねじ部３３ａに螺合するロックねじ３３ｂとを有し、前記外締結部３３は、前記結合開口部１３に対して前記ロックねじ３３ｂを締結することで前記突当面３１を前記突当受面２１に突き当て締結する。
【００５２】
このため、締結面３３ｂａを結合開口部１３の外端１３ａへ締結係合させることで突当面３１を突当受面２１に容易に突き当て締結することができる。
【実施例２】
【００５３】
図４、図５は、本発明の実施例２に係り、図４は、球技用バットの要部の拡大断面図、図５（ａ）は、コネクタの側面図、（ｂ）は、コネクタを軸周りに９０度回転させた側面図である。なお、基本的な構成は、実施例１と同様であり、同一又は対応する構成部分には、同符号又は同符号にＡを付して説明し、重複した説明は省略する。
【００５４】
本実施例の球技用バット１Ａは、例えばコネクタ７Ａに凸部３５を設け、この凸部３５に係合して相互間の回り止めを行う凹部３７を打撃部５の被結合端部１１Ａの第１の支持穴部１７に設けた。コネクタ７Ａに凹部３７を設け、被結合端部１１Ａ側に突部３５を設ける構成にすることもできる。
【００５５】
かかる構造により、打撃部５の被結合端部１１Ａとコネクタ７Ａとの一方に突部３５を設け、この凸部３５に係合して相互間の回り止めを行う凹部３７を他方に設けた構成となっている。図５中は、凸部３５及び凹部３７が１個であるが、複数個あっても良い。
【００５６】
したがって、本実施例では、打撃部５の被結合端部１１Ａとコネクタ７Ａとの回り止めにより結合強度を増してグリップ部３及び打撃部５間の結合強度をより向上させることができる。
【００５７】
その他、本実施例においても、実施例１と同様な作用効果を奏することができる。
【実施例３】
【００５８】
図６は、本発明の実施例３に係り、球技用バットの要部の拡大断面図である。なお、基本的な構成は、実施例１と同様であり、同一又は対応する構成部分には、同符号又は同符号にＢを付して説明し、重複した説明は省略する。
【００５９】
本実施例の球技用バット１Ｂは、被結合端部１１Ｂの第１の支持穴部１７に雌ねじ部３９を設け、この雌ねじ部３９に螺合する内雄ねじ部４１をコネクタ７Ｂの第１の嵌合軸部２７Ｂに設けた。内雄ねじ部４１は、外雄ねじ部３３ａよりも大径に形成されている。
【００６０】
したがって、内雄ねじ部４１を雌ねじ部３９に螺合させて突当受面２１に突当面３１を締結させ、ロックねじ３３ｂを外雄ねじ部３３ａに螺合させて締結しダブル・ナットのようにロックすることができる。
【００６１】
打撃部５先端の穴５ｃ（図３）からグリップ部３を挿入して結合させるとき、外雄ねじ部３３ａを第１の支持穴部１７の雌ねじ部３９とは係わりなく挿入することができ、組み込み作業を容易にすることができる。
【００６２】
但し、内外雄ねじ部４１，３３ａを同径にすることもでき、同径の場合製造が容易となる。
【００６３】
その他、本実施例においても、実施例１と同様な作用効果を奏することができる。
【実施例４】
【００６４】
図７は、本発明の実施例４に係り、コネクタの分解断面図である。なお、基本的な構成は、図６の実施例３と同様であり、同一又は対応する構成部分には、同符号又は同符号にＣを付し、或いは同符号のＢをＣに代えて説明し、重複した説明は省略する。
【００６５】
本実施例の球技用バットは、コネクタ７Ｃのロックねじ３３ｂＣにテーパ外周面４３を設けたものである。テーパ外周面４３の大径側は、被結合端部１１Ｂ（図６参照）の外周径と同径である。なお、コネクタ７Ｃは、へら曲げ部形成前の形状である。
【００６６】
テーパ部３３ｂＣａにより被結合端部１１Ｂ（図６参照）とグリップ部３（図６参照）の外周面相互間の段差を抑制し、打撃部５（図６参照）及びグリップ部３（図６参照）内の外面形状を比較的滑らかに連続させることができる。
【００６７】
なお、ロックねじ３３ｂＣの構造は、実施例１，２の構造に適用することもできる。
【実施例５】
【００６８】
図８は、本発明の実施例５に係り、コネクタの分解断面図である。なお、基本的な構成は、図３の実施例１と同様であり、同一又は対応する構成部分には、同符号又は同符号にＤを付し、重複した説明は省略する。
【００６９】
本実施例の球技用バットは、コネクタ７Ｄのロックねじ３３ｂＤにテーパ筒部４５を一体に設けたものである。テーパ筒部４５は、テーパ外周面４５ａ及びテーパ内周面４５ｂを備えている。テーパ外周面４５ａの大径側は、被結合端部１１（図３）の外周径と同径であり、同小径側は、テーパ筒部４５がグリップ部３に嵌合する位置においてグリップ部３の外周径に近い径を有している。
【００７０】
テーパ内周面４５ｂの大径側の内径ｒ１は、コネクタ７Ｄの内径部２５における小径側の内径ｒ２と同径に設定され、テーパ内周面４５ｂのテーパは、コネクタ７Ｄの内径部２５のテーパと径は異なるが同一である。
【００７１】
なお、コネクタ７Ｄは、へら曲げ部形成前の形状である。
【００７２】
したがって、ロックねじ３３ｂＤのテーパ内周面４５ｂは、コネクタ７Ｄの内径部２５に連続してグリップ部３に嵌合することができ、テーパ外周面４５ａにより被結合端部１１（図３参照）とグリップ部３（図３参照）との間の段差を抑制しながら外面形状を比較的滑らかに連続させることができる。
【００７３】
また、グリップ部３及び打撃部５間に働く曲げ力をテーパ筒部４５により受けることができ、グリップ部３（図３参照）及び打撃部５（図３参照）間の結合強度をより向上させることができる。
【００７４】
なお、ロックねじ３３ｂＤの構造は、実施例２，３の構造に適用することもできる。テーパ内周面４５ｂは、ストレートな円孔として形成することもできる。
【実施例６】
【００７５】
図９は、本発明の実施例６に係り、コネクタの分解断面図である。なお、基本的な構成は、図３の実施例１と同様であり、同一又は対応する構成部分には、同符号又は同符号にＥを付し、重複した説明は省略する。
【００７６】
本実施例の球技用バットは、コネクタ７Ｅのロックねじ３３ｂにテーパ筒部４７を樹脂等により一体的に設けたものである。テーパ筒部４７は、テーパ外周面４７ａ及びテーパ内周面４７ｂを備えている。テーパ外周面４７ａの大径側は、被結合端部１１（図３）及びロックねじ３３ｂの外周径と同径であり、同小径側は、テーパ筒部４７がグリップ部３に嵌合する位置においてグリップ部３の外周径に近い径を有している。
【００７７】
テーパ内周面４７ｂの大径側の内径ｒ３は、コネクタ７Ｅの内径部２５における小径側の内径ｒ４と同径に設定され、テーパ内周面４７ｂのテーパは、コネクタ７Ｅの内径部２５のテーパと同一である。
【００７８】
なお、コネクタ７Ｅは、へら曲げ部形成前の形状である。
【００７９】
したがって、ロックねじ３３ｂのテーパ内周面４７ｂは、コネクタ７Ｅの内径部２５に連続してグリップ部３に嵌合することができ、テーパ外周面４７ａにより被結合端部１１及びロックねじ３３ｂ（図３参照）とグリップ部３（図３参照）との間の段差を抑制しながら、外面形状を比較的滑らかに連続させることができる。
【００８０】
また、グリップ部３及び打撃部５間に働く曲げ力をテーパ筒部４５により受けることができ、グリップ部３（図３参照）及び打撃部５（図３参照）間の結合強度をより向上させることができる。
【００８１】
なお、ロックねじ３３ｂＤの構造は、実施例２，３の構造に適用することもできる。テーパ内周面４７ｂは、ストレートな円孔として形成することもできる。
【実施例７】
【００８２】
図１０〜図１２は、本発明の実施例７に係り、図１０は、キャップ及びグリップ部の一部を省略した球技用バットを若干拡大して示す断面図、図１１は、キャップ及びグリップ部の一部を省略した球技用バットを若干拡大して示す分解断面図、図１２は、球技用バットの要部の拡大断面図である。なお、基本的な構成は、図３の実施例１と同様であり、同一又は対応する構成部分には、同符号又は同符号にＦを付し、重複した説明は省略する。
【００８３】
本実施例の球技用バット１Ｆは、グリップ部３Ｆの結合端部９Ｆを大径に形成し、外締結部３３Ｆのロックねじ３３ｂ外周の外径部２５Ｆに一体的に嵌合固定した。結合端部９Ｆの端部外周径は、打撃部５Ｆの被結合端部１１外周径と同径に設定されている。
【００８４】
なお、打撃部５Ｆは、胴部５ａ及び被結合端部１１に亘って外周面がストレートな管状に形成されている。コネクタ７Ｆの内径部２５Ｆもストレート形状に形成されている。
【００８５】
したがって、グリップ部３Ｆ及び打撃部５間を、外面形状に段差無く連続させることができる。
［その他］
本発明の構造は、球技用バット以外の打撃具、例えばゴルフ用のシャフトなどにも適用することができる。
【００８６】
内締結部は、へら曲げ部７ｃに代えてグリップ部３及びコネクタ７間を管用テーパねじの結合で構成することもできる。
【００８７】
外締結部３３は、へら絞り加工などのかしめにより構成することもできる。
【００８８】
コネクタは、グリップ部側に一体に形成することもできる。
【００８９】
突当受面２１及び突当面３１の突当は、軸芯に直交した面に限らず、テーパ面を介した突当にすることもできる。
【００９０】
ヘッドは、実施例のキャップ式と一体式とがある。ヘッドが一体式の場合、ヘッドをへら絞り加工する前にヘッドの開口部から前記同様の手順で組み付け、その後ヘッドをへら絞り加工する。
【００９１】
打撃部５，５Ｆは、単一管のみならず、内側へ２〜４重構造（隙間有り）、外側へ２〜３重構造（隙間有り）、打撃部に発泡体を付けたもの、複層管（２〜３枚貼り合わせたもの、隙間無し）がある。
【００９２】
グリップ・エンドは、木製、アルミ合金製、ＦＲＰ製があり、主流はアルミ合金製ではあるが樹脂製も可能である。
【００９３】
バット材料は、木材（単材、合板など）、アルミ合金（ジュラルミン）、ＦＲＰ材（Ｃ−ＦＲＰ、Ｇ−ＦＲＰ）、スカンジウム合金、チタン合金などがある。
【符号の説明】
【００９４】
１，１Ａ，１Ｂ，１Ｆ  球技用バット（打撃具）
３，３Ｆ  グリップ部
５，５Ｆ  打撃部
７，７Ａ，７Ｂ，７Ｃ，７Ｄ，７Ｅ，７Ｆ  コネクタ
７ｃ  へら曲げ部（内締結部）
９，９Ｆ  結合端部
１１，１１Ａ，１１Ｂ  結合端部
１３  結合開口部
１３ａ  結合開口部の外端
１７  第１の支持穴部
１９  第２の支持穴部
２１  突当受面
２５  内径部
２５Ｆ  外径部
２７  第１の嵌合軸部
２９  第２の嵌合軸部
３１  突当面
３３  外締結部
３３ａ  外雌ねじ部
３３ｂ  ロックねじ
３５  凸部
３７  凹部
３９  雌ねじ部
４１  内雄ねじ部
４５，４７  テーパ筒部
【図１】
2011139856.tif 000003
【図２】
2011139856.tif 000004
【図３】
2011139856.tif 000005
【図４】
2011139856.tif 000006
【図５】
2011139856.tif 000007
【図６】
2011139856.tif 000008
【図７】
2011139856.tif 000009
【図８】
2011139856.tif 000010
【図９】
2011139856.tif 000011
【図１０】
2011139856.tif 000012
【図１１】
2011139856.tif 000013
【図１２】
2011139856.tif 000014
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
結合端部を有するグリップ部と被結合端部に結合開口部を有する打撃部とを備え、
前記グリップ部の結合端部に結合用のコネクタを嵌合固定し、
前記グリップ部の結合端部を前記打撃部の被結合端部に前記コネクタを介して嵌合結合する打撃具であって、
前記被結合端部は、筒状に形成され前記結合開口部側の第１の支持穴部とこの第１の支持穴部の奥側に形成され第１の支持穴部よりも大径の第２の支持穴部とこの第１，第２の支持穴部間に形成され前記筒状の肉厚幅内に形成された突当受面と前記筒状の端面で形成された外端とを有し、
前記コネクタは、前記グリップ部の結合端部に嵌合固定される内径部又は外径部と前記第１の支持穴部に嵌合する外径の第１の嵌合軸部と前記第２の支持穴部に嵌合する外径の第２の嵌合軸部と前記第１，第２の嵌合軸部間に形成された突当面と前記結合開口部外へ突出して外雄ねじ部を有する外端部とこの外端部の外雄ねじ部に螺合され前記被結合端部の前記外端に圧接して前記突当面を前記突当受面に突き当て締結し前記筒状の被結合端部を前記突当面に対して筒軸方向に挟圧するロックねじとを有し、
たことを特徴とする打撃具。
【請求項２】
請求項１記載の打撃具であって、
前記突当受面は、前記第１，第２の支持穴部の軸芯に直交し、
前記突当面は、前記第１，第２の嵌合軸部の軸芯に直交している、
ことを特徴とする打撃具。
【請求項３】
請求項１又は２記載の打撃具であって、
前記グリップ部の結合端部は、末広がりを呈する外径のテーパ軸状であり、
前記コネクタは、前記内径部が前記グリップ部の結合端部に嵌合する内径のテーパ穴状であり前記グリップ部の先端に締結係合して前記内径部を前記グリップ部の結合端部に嵌合締結固定する内締結部を有する、
ことを特徴とする打撃具。
【請求項４】
請求項１〜３の何れかに記載の打撃具であって、
前記ロックねじは、被結合端部とグリップ部との間の段差を抑制しながら外面形状を滑らかに連続させるテーパ筒部を備えた、
ことを特徴とする打撃具。
【請求項５】
請求項１又は２記載の打撃具であって、
前記グリップ部の結合端部を、前記ロックねじの外周に嵌合固定した、
ことを特徴とする打撃具。
【請求項６】
請求項３記載の打撃具であって、
前記内締結部は、へら絞り加工によるへら曲げ部である、
ことを特徴とする打撃具。
【請求項７】
請求項１〜６のいずれかに記載の打撃具であって、
前記打撃部の被結合端部と前記コネクタとの一方に凸部を設け、この凸部に係合して相互間の回り止めを行う凹部を他方に設けた、
ことを特徴とする打撃具。
【請求項８】
請求項１〜７のいずれかに記載の打撃具であって、
前記第１の支持穴部に雌ねじ部を設け、この雌ねじ部に螺合する内雄ねじ部を前記第１の嵌合軸部に設けた、
ことを特徴とする打撃具。
【請求項９】
請求項１〜８のいずれかに記載の打撃具あって、
前記打撃部は、ボールを打撃する胴部である、
ことを特徴とする球技用バット。
【手続補正２】
【補正対象書類名】明細書
【補正対象項目名】０００９
【補正方法】変更
【補正の内容】
【０００９】
本発明は、グリップ部及び打撃部間の結合強度を向上させるために、結合端部を有するグリップ部と被結合端部に結合開口部を有する打撃部とを備え、前記グリップ部の結合端部に結合用のコネクタを嵌合固定し、前記グリップ部の結合端部を前記打撃部の被結合端部に前記コネクタを介して嵌合結合する打撃具であって、前記被結合端部は、筒状に形成され前記結合開口部側の第１の支持穴部とこの第１の支持穴部の奥側に形成され第１の支持穴部よりも大径の第２の支持穴部とこの第１，第２の支持穴部間に形成され前記筒状の肉厚幅内に形成された突当受面と前記筒状の端面で形成された外端とを有し、前記コネクタは、前記グリップ部の結合端部に嵌合固定される内径部又は外径部と前記第１の支持穴部に嵌合する外径の第１の嵌合軸部と前記第２の支持穴部に嵌合する外径の第２の嵌合軸部と前記第１，第２の嵌合軸部間に形成された突当面と前記結合開口部外へ突出して外雄ねじ部を有する外端部とこの外端部の外雄ねじ部に螺合され前記被結合端部の前記外端に圧接して前記突当面を前記突当受面に突き当て締結し前記筒状の被結合端部を前記突当面に対して筒軸方向に挟圧するロックねじとを有したことを特徴とする。
【手続補正３】
【補正対象書類名】明細書
【補正対象項目名】００１０
【補正方法】変更
【補正の内容】
【００１０】
本発明の打撃具は、結合端部を有するグリップ部と被結合端部に結合開口部を有する打撃部とを備え、前記グリップ部の結合端部に結合用のコネクタを嵌合固定し、前記グリップ部の結合端部を前記打撃部の被結合端部に前記コネクタを介して嵌合結合する打撃具であって、前記被結合端部は、筒状に形成され前記結合開口部側の第１の支持穴部とこの第１の支持穴部の奥側に形成され第１の支持穴部よりも大径の第２の支持穴部とこの第１，第２の支持穴部間に形成され前記筒状の肉厚幅内に形成された突当受面と前記筒状の端面で形成された外端とを有し、前記コネクタは、前記グリップ部の結合端部に嵌合固定される内径部又は外径部と前記第１の支持穴部に嵌合する外径の第１の嵌合軸部と前記第２の支持穴部に嵌合する外径の第２の嵌合軸部と前記第１，第２の嵌合軸部間に形成された突当面と前記結合開口部外へ突出して外雄ねじ部を有する外端部とこの外端部の外雄ねじ部に螺合され前記被結合端部の前記外端に圧接して前記突当面を前記突当受面に突き当て締結し前記筒状の被結合端部を前記突当面に対して筒軸方向に挟圧するロックねじとを有した。
【手続補正４】
【補正対象書類名】明細書
【補正対象項目名】００１１
【補正方法】変更
【補正の内容】
【００１１】
このため、グリップ部及び打撃部間の曲げ力に対しては、打撃部側の第１，第２の支持穴部に対するグリップ部に固定されたコネクタ側の第１，第２の嵌合軸部の嵌合、打撃部側の突当受面に対するコネクタ側の突当受面の突き当たり、及び打撃部側の結合開口部の外端に対するコネクタ側のロックねじの締結により、曲げ荷重を確実に受けることができる。
【手続補正５】
【補正対象書類名】明細書
【補正対象項目名】００１３
【補正方法】変更
【補正の内容】
【００１３】
また、長手方向の圧縮側への衝撃に対しては、打撃部側の結合開口部の外端に対するコネクタ側のロックねじの締結によりうけることができる。
【手続補正６】
【補正対象書類名】明細書
【補正対象項目名】００９４
【補正方法】変更
【補正の内容】
【００９４】
１，１Ａ，１Ｂ，１Ｆ  球技用バット（打撃具）
３，３Ｆ  グリップ部
５，５Ｆ  打撃部
７，７Ａ，７Ｂ，７Ｃ，７Ｄ，７Ｅ，７Ｆ  コネクタ
７ｃ  へら曲げ部（内締結部）
９，９Ｆ  結合端部
１１，１１Ａ，１１Ｂ  被結合端部
１３  結合開口部
１３ａ  結合開口部の外端
１７  第１の支持穴部
１９  第２の支持穴部
２１  突当受面
２５  内径部
２５Ｆ  外径部
２７  第１の嵌合軸部
２９  第２の嵌合軸部
３１  突当面
３３  外締結部
３３ａ  外雄ねじ部
３３ｂ  ロックねじ
３５  凸部
３７  凹部
３９  雌ねじ部
４１  内雄ねじ部
４５，４７  テーパ筒部
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
結合端部を有するグリップ部と被結合端部に結合開口部を有する打撃部とを備え、
前記グリップ部の結合端部及び前記打撃部の被結合端部に結合用のコネクタを嵌合固定し、
前記グリップ部の結合端部を前記打撃部の被結合端部に前記コネクタを介して嵌合結合する打撃具であって、
前記被結合端部は、筒状に形成されこの筒状の内周面に形成された前記結合開口部側の第１の支持穴部、この第１の支持穴部の奥側に前記筒状の内周面に形成され該第１の支持穴部よりも大径の第２の支持穴部、及びこの第１，第２の支持穴部間に形成され前記筒状の肉厚幅内に形成された突当受面と前記筒状の端面で形成された外端を有し、
前記コネクタは、前記グリップ部の結合端部の外周に嵌合固定される内径部、前記第１の支持穴部に嵌合する外径の第１の嵌合軸部、前記第２の支持穴部に嵌合する外径の第２の嵌合軸部、前記第１，第２の嵌合軸部間に形成された突当面、及び前記結合開口部外へ突出して外雄ねじ部を有する外端部を備えた一体の部分と、この外端部の外雄ねじ部に螺合され前記被結合端部の前記外端に圧接して前記突当面を前記突当受面に突き当て締結し前記筒状の被結合端部を前記突当面に対して筒軸方向に挟圧するロックねじとを有し、
前記コネクタから前記ロックねじを外した一体の部分を、前記被結合端部の第２の支持穴部側から挿入し、前記第１、第２の嵌合軸部を、前記第１、第２の支持穴部に嵌合させると共に、前記突当面を、前記突当受面に対向させて前記外端部を前記結合開口部外へ突出させ、この外端部の外雄ねじ部に前記ロックねじを螺合させる、
ことを特徴とする打撃具。
【請求項２】
請求項１記載の打撃具であって、
前記グリップ部の結合端部は、末広がりを呈する外径のテーパ軸状であり、
前記コネクタは、前記内径部が前記グリップ部の結合端部に嵌合する内径のテーパ穴状であり前記グリップ部の先端に締結係合して前記内径部を前記グリップ部の結合端部に嵌合締結固定する内締結部を有する、
ことを特徴とする打撃具。
【請求項３】
請求項２記載の打撃具であって、
前記内締結部は、へら絞り加工によるへら曲げ部である、
ことを特徴とする打撃具。
【請求項４】
請求項１〜３の何れかに記載の打撃具であって、
前記ロックねじは、前記被結合端部の外周面と前記グリップ部の外周面との間の段差を抑制しながら外面形状を滑らかに連続させるテーパ筒部を備えた、
ことを特徴とする打撃具。
【請求項５】
結合端部を有するグリップ部と被結合端部に結合開口部を有する打撃部とを備え、
前記グリップ部の結合端部及び前記打撃部の被結合端部に結合用のコネクタを嵌合固定し、
前記グリップ部の結合端部を前記打撃部の被結合端部に前記コネクタを介して嵌合結合する打撃具であって、
前記被結合端部は、筒状に形成されこの筒状の内周面に形成された前記結合開口部側の第１の支持穴部、この第１の支持穴部の奥側に前記筒状の内周面に形成され該第１の支持穴部よりも大径の第２の支持穴部、及びこの第１，第２の支持穴部間に形成され前記筒状の肉厚幅内に形成された突当受面と前記筒状の端面で形成された外端を有し、
前記コネクタは、前記第１の支持穴部に嵌合する外径の第１の嵌合軸部、前記第２の支持穴部に嵌合する外径の第２の嵌合軸部、前記第１，第２の嵌合軸部間に形成された突当面、及び前記結合開口部外へ突出して外雄ねじ部を有する外端部を備えた一体の部分と、この外端部の外雄ねじ部に螺合され前記被結合端部の前記外端に圧接して前記突当面を前記突当受面に突き当て締結し前記筒状の被結合端部を前記突当面に対して筒軸方向に挟圧し前記グリップ部の結合端部の内周に嵌合固定される外径部を備えたロックねじとを有し、
前記コネクタから前記ロックねじを外した一体の部分を、前記被結合端部の第２の支持穴部側から挿入し、前記第１、第２の嵌合軸部を、前記第１、第２の支持穴部に嵌合させると共に、前記突当面を、前記突当受面に対向させて前記外端部を前記結合開口部外へ突出させ、この外端部の外雄ねじ部に前記ロックねじを螺合させる、
ことを特徴とする打撃具。
【請求項６】
請求項１〜５の何れかに記載の打撃具であって、
前記突当受面は、前記第１，第２の支持穴部の軸芯に直交し、
前記突当面は、前記第１，第２の嵌合軸部の軸芯に直交している、
ことを特徴とする打撃具。
【請求項７】
請求項１〜６のいずれかに記載の打撃具であって、
前記打撃部の被結合端部と前記コネクタとの一方に凸部を設け、この凸部に係合して相互間の回り止めを行う凹部を他方に設けた、
ことを特徴とする打撃具。
【請求項８】
請求項１〜７のいずれかに記載の打撃具であって、
前記第１の支持穴部に雌ねじ部を設け、この雌ねじ部に螺合する内雄ねじ部を前記第１の嵌合軸部に設けた、
ことを特徴とする打撃具。
【請求項９】
請求項１〜８のいずれかに記載の打撃具あって、
前記打撃部は、ボールを打撃する胴部である、
ことを特徴とする球技用バット。
【手続補正２】
【補正対象書類名】明細書
【補正対象項目名】０００９
【補正方法】変更
【補正の内容】
【０００９】
本発明は、グリップ部及び打撃部間の結合強度を向上させるために、結合端部を有するグリップ部と被結合端部に結合開口部を有する打撃部とを備え、前記グリップ部の結合端部及び前記打撃部の被結合端部に結合用のコネクタを嵌合固定し、前記グリップ部の結合端部を前記打撃部の被結合端部に前記コネクタを介して嵌合結合する打撃具であって、前記被結合端部は、筒状に形成されこの筒状の内周面に形成された前記結合開口部側の第１の支持穴部、この第１の支持穴部の奥側に前記筒状の内周面に形成され該第１の支持穴部よりも大径の第２の支持穴部、及びこの第１，第２の支持穴部間に形成され前記筒状の肉厚幅内に形成された突当受面と前記筒状の端面で形成された外端を有し、前記コネクタは、前記グリップ部の結合端部の外周に嵌合固定される内径部、前記第１の支持穴部に嵌合する外径の第１の嵌合軸部、前記第２の支持穴部に嵌合する外径の第２の嵌合軸部、前記第１，第２の嵌合軸部間に形成された突当面、及び結合開口部外へ突出して外雄ねじ部を有する外端部を備えた一体の部分と、この外端部の外雄ねじ部に螺合され前記被結合端部の前記外端に圧接して前記突当面を前記突当受面に突き当て締結し前記筒状の被結合端部を前記突当面に対して筒軸方向に挟圧するロックねじとを有し、又は前記コネクタは、前記第１の支持穴部に嵌合する外径の第１の嵌合軸部、前記第２の支持穴部に嵌合する外径の第２の嵌合軸部、前記第１，第２の嵌合軸部間に形成された突当面、及び前記結合開口部外へ突出して外雄ねじ部を有する外端部を備えた一体の部分と、この外端部の外雄ねじ部に螺合され前記被結合端部の前記外端に圧接して前記突当面を前記突当受面に突き当て締結し前記筒状の被結合端部を前記突当面に対して筒軸方向に挟圧し前記グリップ部の結合端部の内周に嵌合固定される外径部を備えたロックねじとを有し、前記コネクタから前記ロックねじを外した一体の部分を、前記被結合端部の第２の支持穴部側から挿入し、前記第１、第２の嵌合軸部を、前記第１、第２の支持穴部に嵌合させると共に、前記突当面を、前記突当受面に対向させて前記外端部を前記結合開口部外へ突出させ、この外端部の外雄ねじ部に前記ロックねじを螺合させることを特徴とする。
【手続補正３】
【補正対象書類名】明細書
【補正対象項目名】００１０
【補正方法】変更
【補正の内容】
【００１０】
本発明の打撃具は、結合端部を有するグリップ部と被結合端部に結合開口部を有する打撃部とを備え、前記グリップ部の結合端部及び前記打撃部の被結合端部に結合用のコネクタを嵌合固定し、前記グリップ部の結合端部を前記打撃部の被結合端部に前記コネクタを介して嵌合結合する打撃具であって、前記被結合端部は、筒状に形成されこの筒状の内周面に形成された前記結合開口部側の第１の支持穴部、この第１の支持穴部の奥側に前記筒状の内周面に形成され該第１の支持穴部よりも大径の第２の支持穴部、及びこの第１，第２の支持穴部間に形成され前記筒状の肉厚幅内に形成された突当受面と前記筒状の端面で形成された外端を有し、前記コネクタは、前記グリップ部の結合端部の外周に嵌合固定される内径部、前記第１の支持穴部に嵌合する外径の第１の嵌合軸部、前記第２の支持穴部に嵌合する外径の第２の嵌合軸部、前記第１，第２の嵌合軸部間に形成された突当面、及び結合開口部外へ突出して外雄ねじ部を有する外端部を備えた一体の部分と、この外端部の外雄ねじ部に螺合され前記被結合端部の前記外端に圧接して前記突当面を前記突当受面に突き当て締結し前記筒状の被結合端部を前記突当面に対して筒軸方向に挟圧するロックねじとを有し、又は前記コネクタは、前記第１の支持穴部に嵌合する外径の第１の嵌合軸部、前記第２の支持穴部に嵌合する外径の第２の嵌合軸部、前記第１，第２の嵌合軸部間に形成された突当面、及び前記結合開口部外へ突出して外雄ねじ部を有する外端部を備えた一体の部分と、この外端部の外雄ねじ部に螺合され前記被結合端部の前記外端に圧接して前記突当面を前記突当受面に突き当て締結し前記筒状の被結合端部を前記突当面に対して筒軸方向に挟圧し前記グリップ部の結合端部の内周に嵌合固定される外径部を備えたロックねじとを有し、前記コネクタから前記ロックねじを外した一体の部分を、前記被結合端部の第２の支持穴部側から挿入し、前記第１、第２の嵌合軸部を、前記第１、第２の支持穴部に嵌合させると共に、前記突当面を、前記突当受面に対向させて前記外端部を前記結合開口部外へ突出させ、この外端部の外雄ねじ部に前記ロックねじを螺合させる。